(57)【特許請求の範囲】
【請求項１】
主走査方向に延設されるとともに前記主走査方向と交差する方向である副走査方向に移動しながら媒体の画像を読み取る媒体読取ユニットと、
可撓性を有するケーブルであって湾曲部を形成して前記媒体読取ユニットに接続され、
前記媒体読取ユニットの移動動作に伴い追従変形する信号伝送ケーブルと、
前記媒体読取ユニットに電力を供給する電源部と、
前記媒体読取ユニット及び前記電源部を収容する筐体と、を備え、
前記媒体読取ユニットの装置高さ方向において、電源ケーブルのプラグを前記筐体の外側から前記電源部に対し挿抜させる為の挿抜スペースの少なくとも一部と、前記信号伝送ケーブルが追従変形する領域の少なくとも一部とが同じ位置に配置されている、
ことを特徴とする画像読取装置。
【請求項２】
請求項１に記載の画像読取装置において、前記信号伝送ケーブルは、前記媒体読取ユニットにおいて前記主走査方向の一端側から延出するアナログ信号伝送用ケーブルと他端側から延出するデジタル信号伝送用ケーブルとを含み、
前記アナログ信号伝送用ケーブル及び前記デジタル信号伝送用ケーブルが接続される回路基板を備え、
前記アナログ信号伝送用ケーブルは、前記電源部から遠い迂回経路を通って前記回路基板に接続される、
ことを特徴とする画像読取装置。
【請求項３】
請求項２に記載の画像読取装置において、前記装置高さ方向において、前記挿抜スペースの少なくとも一部と、前記回路基板の少なくとも一部とが同じ位置に配置されている、
ことを特徴とする画像読取装置。
【請求項４】
請求項１から請求項３のいずれか一項に記載の画像読取装置において、前記媒体読取ユニットが媒体を読み取るための原点位置に位置しているとき、前記媒体読取ユニットの一部は、前記装置高さ方向において、前記挿抜スペースよりも上側に位置する
ことを特徴とする画像読取装置。
【請求項５】
請求項１から請求項４のいずれか一項に記載の画像読取装置において、前記電源部は、前記副走査方向において、前記媒体読取ユニットの移動領域の一方側端部の外側に配置され、
前記媒体読取ユニットを駆動するモーターの少なくとも一部と、前記電源部の少なくとも一部とが、前記副走査方向において同じ位置に配置されている、
ことを特徴とする画像読取装置。
【請求項６】
請求項１から請求項５のいずれか一項に記載の画像読取装置において、前記電源ケーブルのプラグを挿抜する、前記挿抜スペース内に設けられた挿抜口は、前記筐体の側面から奥まった位置に設けられている、
ことを特徴とする画像読取装置。
【請求項７】
請求項６に記載の画像読取装置において、前記挿抜口は、前記挿抜スペースが設けられた前記筐体の側面に対し交差する方向に開口している、
ことを特徴とする画像読取装置。
【請求項８】
請求項１から請求項７のいずれか一項に記載の画像読取装置において、前記筐体は、内部に前記媒体読取ユニットの移動領域を囲うとともに前記媒体読取ユニットの移動領域と前記電源部の配置領域とを仕切る仕切壁を備える、
ことを特徴とする画像読取装置。
【発明の詳細な説明】
【技術分野】
【０００１】
本発明は、スキャナーに代表される画像読取装置に関する。
【背景技術】
【０００２】
ガラスの原稿台に原稿を載置し、画像読取センサーを備えた画像読取ユニットが原稿台の下方を移動して前記原稿の画像を読み取る画像読取装置が知られている。この様なタイプの画像読取装置はフラットベッドタイプのスキャナーと呼ばれ、その一例が特許文献１、２に開示されている。  
尚、画像読取センサーは、原稿幅方向をカバーする長さに形成されており、一般的にはその長さ方向が「主走査方向」と称され、主走査方向と直交する方向である移動方向が「副走査方向」と称されている。
【０００３】
フラットベッド型のスキャナーでは、スキャナー内部において画像読取センサーと回路基板（制御部）とが、可撓性を有するケーブル、例えばフレキシブルフラットケーブルで接続される。フレキシブルフラットケーブルは、特許文献２に示されるように、湾曲部を形成した状態で取り回しされ、画像読取センサーの移動動作に伴ってフレキシブルフラットケーブルが追従変形する様に構成されている。
【０００４】
ところで、電気機器においては電源ケーブルのコネクタが、装置側面に設けられたＡＣインレットに対して挿抜される。この装置側面にＡＣインレットが設けられた構成は、例えば特許文献３に開示されている。
【先行技術文献】
【特許文献】
【０００５】
【特許文献１】特開２００８−１０７８０５号公報
【特許文献２】特開２００３−２３３１３８号公報
【特許文献３】特開２００４−０９５５６９号公報
【発明の概要】
【発明が解決しようとする課題】
【０００６】
近年、画像読取装置にはより一層の小型化が要請されているものの、なおも改良の余地があり、特にＡＣインレットの配置については小型化の観点でより一層の改良の余地があった。  
そこで本発明はこの様な状況に鑑みなされたものであり、その目的は、より一層の装置の小型化に配慮された画像読取装置を提供することにある。
【課題を解決するための手段】
【０００７】
上記課題を解決する為の、本発明の第１の態様に係る画像読取装置は、主走査方向に延設されるとともに前記主走査方向と交差する方向である副走査方向に移動しながら媒体の画像を読み取る媒体読取ユニットと、可撓性を有するケーブルであって湾曲部を形成して前記媒体読取ユニットに接続され、前記媒体読取ユニットの移動動作に伴い追従変形する信号伝送ケーブルと、前記媒体読取ユニットに電力を供給する電源部と、前記媒体読取ユニット及び前記電源部を収容する筐体と、を備え、前記媒体読取ユニットの装置高さ方向において、電源ケーブルのプラグを前記筐体の外側から前記電源部に対し挿抜させる為の挿抜スペースの少なくとも一部と、前記信号伝送ケーブルが追従変形する領域の少なくとも一部とがオーバーラップしていることを特徴とする。
【０００８】
本態様によれば、装置高さ方向において、電源ケーブルのプラグを前記電源部に対し前記筐体の外側から挿抜させる為の挿抜スペースの少なくとも一部と、前記信号伝送ケーブルが追従変形する領域の少なくとも一部とがオーバーラップしているので、前記電源部を前記筐体に内蔵する画像読取装置において前記挿抜スペースと前記信号伝送ケーブルが追従変形する領域の重畳を避けて装置高さ方向の寸法を抑え、装置をより一層薄型化することができる。
【０００９】
本発明の第２の態様は、第１の態様において、前記信号伝送ケーブルは、前記媒体読取ユニットにおいて前記主走査方向の一端側から延出するアナログ信号伝送用ケーブルと他端側から延出するデジタル信号伝送用ケーブルとを含み、前記アナログ信号伝送用ケーブル及び前記デジタル信号伝送用ケーブルが接続される回路基板を備え、前記アナログ信号伝送用ケーブルは、前記電源部から遠い迂回経路を通って前記回路基板に接続されることを特徴とする。
【００１０】
本態様によれば、前記アナログ信号伝送用ケーブルは、前記電源部から遠い迂回経路を通って前記回路基板に接続されるので、ノイズの影響を受け易いアナログ信号の伝送に際し、前記電源部から発するノイズの影響を抑えることができ、より良好な信号伝送を行うことができる。
【００１１】
本発明の第３の態様は、第２の態様において、前記装置高さ方向において、前記挿抜スペースの少なくとも一部と、前記回路基板の少なくとも一部とがオーバーラップしていることを特徴とする。
【００１２】
本態様によれば、前記装置高さ方向において、前記挿抜スペースの少なくとも一部と、前記回路基板の少なくとも一部とがオーバーラップしているので、前記挿抜スペースと前記回路基板との重畳を避けて装置高さ寸法を抑え、装置をより一層薄型化することができる。
【００１３】
本発明の第４の態様は、第１から第３の態様のいずれかにおいて、前記電源部は、前記副走査方向において、前記媒体読取ユニットの移動領域の一方側端部の外側に配置され、前記媒体読取ユニットを駆動するモーターの少なくとも一部と、前記電源部の少なくとも一部とが、前記副走査方向でオーバーラップしていることを特徴とする。
【００１４】
本態様によれば、前記電源部は、前記副走査方向において、前記媒体読取ユニットを駆動するモーターの少なくとも一部と、前記電源部の少なくとも一部とが、前記副走査方向でオーバーラップしているので、前記モーターと前記電源部との前記副走査方向における重畳を避け、装置をより一層小型化することができる。
【００１５】
本発明の第５態様は、第１から第４の態様のいずれかにおいて、前記電源ケーブルのプラグを挿抜する、前記挿抜スペース内に設けられた挿抜口は、前記筐体の側面から奥まった位置に設けられていることを特徴とする。
【００１６】
本態様によれば、前記電源ケーブルのプラグを挿抜する、前記挿抜スペース内に設けられた挿抜口は、前記筐体の側面から奥まった位置に設けられているので、前記プラグの、前記筐体の側面からの突出を回避でき、或いは突出量を抑えることができる。その結果、前記筐体の側面を壁面などに寄せることができ、装置の設置スペースを節約することができる。
【００１７】
本発明の第６態様は、第５の態様において、前記挿抜口は、前記挿抜スペースが設けられた前記筐体の側面に対し交差する方向に開口していることを特徴とする。  
本態様によれば、前記挿抜口は、前記挿抜スペースが設けられた前記筐体の側面に対し交差する方向に開口しているので、前記プラグの、前記筐体の側面からの突出をより確実に回避でき、或いはより一層突出量を抑えることができる。その結果、装置の設置スペースをより一層節約することができる。
【００１８】
本発明の第７の態様は、第１から第６の態様のいずれかにおいて、前記筐体は、内部に前記媒体読取ユニットの移動領域を囲うとともに前記媒体読取ユニットの移動領域と前記電源部の配置領域とを仕切る仕切壁を備えることを特徴とする。
【００１９】
前記電源部は前記電源ケーブルのプラグを挿抜する関係上、塵埃等を装置内部に侵入させる侵入部となり易いが、本態様によれば、前記筐体は、内部に前記媒体読取ユニットの移動領域を囲うとともに前記媒体読取ユニットの移動領域と前記電源部の配置領域とを仕切る仕切壁を備えるので、前記電源部から前記媒体読取ユニット内部への塵埃等の侵入を抑えることができ、装置を良好な状態に維持することができる。
【図面の簡単な説明】
【００２０】
【図１】本発明に係る画像読取装置の外観斜視図。
【図２】本発明に係る画像読取装置において筐体に対してＡＤＦを開いた姿勢とした状態を示す斜視図。
【図３】本発明に係る画像読取装置を下方側から見た斜視図。
【図４】本発明に係る画像読取装置において筐体の内部構造を示す斜視図。
【図５】筐体の内部を装置前面側から見た斜視図。
【図６】筐体の内部を装置背面側から見た斜視図。
【図７】図４におけるＡ−Ａ断面図。
【図８】図４におけるＢ−Ｂ断面図。
【発明を実施するための形態】
【００２１】
以下、本発明の実施の形態を図面に基づいて説明する。尚、各実施例において同一の構成については、同一の符号を付し、最初の実施例においてのみ説明し、以後の実施例においてはその構成の説明を省略する。
【００２２】
図１は本発明に係る画像読取装置の外観斜視図であり、図２は本発明に係る画像読取装置において筐体に対してＡＤＦを開いた姿勢とした状態を示す斜視図であり、図３は本発明に係る画像読取装置を下方側から見た斜視図であり、図４は本発明に係る画像読取装置において筐体の内部構造を示す斜視図であり、図５は筐体の内部を装置前面側から見た斜視図であり、図６は筐体の内部を装置背面側から見た斜視図であり、図７は図４におけるＡ−Ａ断面図であり、図８は図４におけるＢ−Ｂ断面図である。
【００２３】
各図において示すＸ−Ｙ−Ｚ座標系はＸ方向が画像読取部の主走査方向かつ装置奥行き方向、Ｙ方向が副走査方向かつ装置幅方向、Ｚ方向が装置高さ方向を示している。尚、本明細書において＋Ｘ軸方向側を装置背面側とし、−Ｘ軸方向側を装置前面側とし、−Ｙ軸方向側を装置幅方向右側とし、＋Ｙ軸方向側を装置幅方向左側とする。
【００２４】
■■■画像読取装置の概要■■■■
図１ないし図３を参照して、画像読取装置１０について説明する。画像読取装置１０は、
筐体１２と、オートドキュメントフィーダー（ＡＤＦ）１４（以下、「ＡＤＦ１４」）とを備えている。ＡＤＦ１４は、筐体１２の上部に設けられた載置面１６に対して閉じた姿勢（図１参照）と、載置面１６を開放する姿勢（図２参照）とを切換え可能に構成されている。より具体的には、ＡＤＦ１４は、筐体１２の装置背面側に設けられたヒンジ部１８、１８を介して筐体１２に対して揺動可能に接続されている。つまり、ＡＤＦ１４は、装置前面側の端部を自由端として筐体１２に対して回動して開閉する。
【００２５】
筐体１２は、載置面１６と操作部２０とを備えている。載置面１６は、筐体１２の上部に設けられている。本実施例において載置面１６は、平坦かつ透明なガラス板１７の上面として構成されており、載置面１６に画像を読み取る媒体を載置可能である。
【００２６】
また、本実施例において載置面１６の−Ｙ方向側の端部は、一例として後述する媒体読取ユニット３０が載置面１６に載置された媒体を読み取るための装置幅方向における基準位置として設定されている。尚、ガラス板１７の周囲は載置面１６より一段高くなっており、これにより載置面１６の−Ｙ方向側の端部に対し、媒体角部を突き当てて位置決めすることができる様になっている。
【００２７】
また、筐体１２において装置前面側（図１及び図２における−Ｘ軸方向側）には操作部２０が設けられている。操作部２０は、画像読取装置１０を操作するための電源スイッチや設定切換ボタン等を備えて構成されている。
【００２８】
ＡＤＦ１４は、媒体押さえ部材２２と、媒体支持トレイ２４と、媒体搬送部２６と、媒体排出トレイ２８とを備えている。媒体搬送部２６は、ＡＤＦ１４が筐体１２に対して閉じられている状態（図１参照）において媒体支持トレイ２４に支持された媒体を搬送し、筐体１２の上部に設けられた載置面１６（図２参照）において媒体の被読み取り面を後述する媒体読取ユニット３０（図４参照）に読み取らせた後、媒体を媒体排出トレイ２８に向けて排出する。
【００２９】
ＡＤＦ１４の下面、すなわち載置面１６と対向する側には、媒体押さえ部材２２が設けられている。媒体押さえ部材２２は例えばスポンジのような弾性体により構成されている。媒体押さえ部材２２は、ＡＤＦ１４が載置面１６に対して閉じた姿勢（図１参照）となった際、載置面１６に載置された媒体を当該媒体が載置面１６から浮かないように載置面１６と反対側から一様に押圧する。そして、媒体押さえ部材２２により押圧された媒体の被読取面が載置面１６に密着する。尚、本実施例において媒体押さえ部材２２の大きさは、載置面１６において媒体搬送部２６により搬送された媒体を読み取る領域を除いた領域を押さえられる大きさに設定されている。
【００３０】
図３に示すように、筐体１２の背面側には「挿抜スペース」としての挿抜部３２が設けられている。挿抜部３２は筐体１２の背面側が開口されている凹部として構成されている。挿抜部３２には、画像読取装置１０に電力を供給する電源ケーブル３４のプラグ３４ａが取り付けられる、「挿抜口」としての第１の挿抜口３６と、画像読取装置１０と外部機器とを接続する通信ケーブル３８のプラグ３８ａが取り付けられる第２の挿抜口４０とを備えている。本実施例において、第１の挿抜口３６は装置幅方向に開口し、第２の挿抜口４０は装置背面側に開口している。また、第１の挿抜口３６は挿抜部３２において装置背面側端部から奥まった位置、つまり装置前面側へずれた位置に設けられている。
【００３１】
本実施例において挿抜部３２における装置幅方向の大きさ及び装置奥行き方向の大きさは、第１の挿抜口３６に対して電源ケーブル３４のプラグ３４ａを容易に挿抜可能な大きさ及び第２の挿抜口４０に対して通信ケーブル３８のプラグ３８ａを容易に挿抜可能な大きさに設定されている。
【００３２】
＜＜＜筐体内の構成について＞＞＞
次いで、図４ないし図８を参照して、筐体１２内の構成について説明する。筐体１２は、上述した載置面１６及び操作部２０に加えて、媒体読取ユニット３０と、媒体読取ユニット駆動手段４２と、電源部４４と、制御部４６とを備えている。
【００３３】
本実施例において媒体読取ユニット３０は、主走査方向であるＸ軸方向に延設されており、載置面１６の装置奥行き方向における長さに対応している。本実施例において媒体読取ユニット３０は、載置面１６に載置された媒体に光を照射し、該媒体からの反射光を受光して媒体の情報（画像）を読み取る光学ユニットとして構成されている。そして、媒体読取ユニット３０は筐体１２内に設けられた、「媒体読取ユニットの移動領域」としての媒体読取ユニット収容区画４８内に収容されている。
【００３４】
ここで、媒体読取ユニット収容区画４８について説明する。媒体読取ユニット駆動手段４２は、装置前面側において装置幅方向に延設された壁４９Ａと、装置背面側において装置幅方向に延設された壁４９Ｂと、装置幅方向左側端部において装置奥行き方向に延設され、壁４９Ａと壁４９Ｂとを繋ぐ壁４９Ｃと、装置幅方向右側において電源部４４と媒体読取ユニット収容区画４８とを仕切る仕切壁５１とを備えている。そして、媒体読取ユニット収容区画４８は、壁４９Ａ、４９Ｂ、４９Ｃ、及び仕切壁５１に囲まれた領域として形成されている。また、本実施例において壁４９Ａ、４９Ｂ及び仕切壁５１は載置面１６構成するガラス板１７を装置高さ方向下方から支持している。
【００３５】
本実施例において電源部４４は、筐体１２の装置背面側かつ装置幅方向右側端部に配置されている。すなわち、電源部４４は、媒体読取ユニット収容区画４８の装置幅方向右側端部の外側に配置されている。そして、仕切壁５１は、電源部４４に対して筐体１２の装置幅方向右側端部から電源部４４の装置前面側を横切って装置幅方向左側に延びた後、装置背面側に延び、壁４９Ｂに接続されている。つまり、仕切壁５１は、電源部４４と媒体読取ユニット収容区画４８とを仕切っている。したがって、第１の挿抜口３６から電源部４４に入り込んだ塵埃が媒体読取ユニット収容区画４８内に入り込むことを防止できる。また、本実施例において、電源部４４は電源ケーブル３４から供給される交流電流を直流電流に変換する整流回路を備えている。
【００３６】
また、媒体読取ユニット３０は、媒体読取ユニット収容区画４８内において媒体読取ユニット駆動手段４２により副走査方向である装置幅方向に往復動可能に構成されている。また、媒体読取ユニット収容区画４８において、装置奥行き方向における中央領域には装置幅方向に延びるガイドレール５０が設けられている。また、ガイドレール５０は、媒体読取ユニット３０の下部に設けられた被ガイド部５２（図５ないし図７参照）と係合している。
【００３７】
媒体読取ユニット駆動手段４２は、駆動モーター５４と、駆動力伝達手段５６と、駆動プーリー５８と、従動プーリー６０と、歯付きベルト６２とを備えている。また、歯付きベルト６２の少なくとも一部は、媒体読取ユニット３０に設けられたベルト把持部６４（図７参照）に把持されている。
【００３８】
本実施例において駆動プーリー５８は装置幅方向右側端部に設けられている。また、従動プーリー６０は、駆動プーリー５８の回転に対して従動動作可能に装置幅方向左側端部に設けられている。また、駆動プーリー５８と従動プーリー６０との間には、歯付きベルト６２が掛け回されている。
【００３９】
駆動力伝達手段５６は複数の歯車を備え、駆動モーター５４の駆動力を駆動プーリー５８に伝達する。これにより、駆動プーリー５８が回転駆動され、歯付きベルト６２も駆動プーリー５８の回転に応じて回転する。その結果、媒体読取ユニット３０は媒体読取ユニット駆動手段４２により装置幅方向に駆動させられる。その際、媒体読取ユニット３０は、被ガイド部５２とガイドレール５０とが係合しているので、ガイドレール５０に案内されて装置幅方向へ移動する。
【００４０】
また、図４において、媒体読取ユニット収容区画４８における装置幅方向左側端部の位置は、載置面１６に載置された媒体を読み取るための装置幅方向における基準位置に対応している。すなわち、図４において媒体読取ユニット３０は、ガラス板１７の載置面１６に載置された媒体を読み取るための原点位置に位置している。
【００４１】
また、本実施例において、装置奥行き方向に延設された媒体読取ユニット３０の一端側、すなわち装置前面側端部からアナログ信号伝送用ケーブル６６が延出している。また、媒体読取ユニット３０の他端側、すなわち装置背面側端部からデジタル信号伝送用ケーブル６８が延出している。
【００４２】
また、媒体読取ユニット収容区画４８の底面４８ａにおいて、ガイドレール５０よりも装置背面側の領域に制御部４６が設けられている。また、制御部４６は第２の挿抜口４０を介して通信ケーブル３８と電気的に接続可能に構成されている。本実施例において、制御部４６は、複数の電子部品を有する回路基板４７（図８参照）を備え、画像読取装置１０における画像読取動作の制御、ＡＤＦ１４の制御、操作部２０からの入力処理、及び外部機器との通信を行う。
【００４３】
そして、アナログ信号伝送用ケーブル６６及びデジタル信号伝送用ケーブル６８は、制御部４６に電気的に接続されている。本実施例においてアナログ信号伝送用ケーブル６６及びデジタル信号伝送用ケーブル６８は、可撓性を有しており、それぞれが湾曲部６６ａ、６８ａを形成して媒体読取ユニット３０に接続されている。そして、アナログ信号伝送用ケーブル６６及びデジタル信号伝送用ケーブル６８は、媒体読取ユニット３０の装置幅方向への移動動作に伴い追従変形する。
【００４４】
さらに、アナログ信号伝送用ケーブル６６及びデジタル信号伝送用ケーブル６８の媒体読取ユニット収容区画４８内における引き回しについて説明する。図６に示すようにアナログ信号伝送用ケーブル６６は、媒体読取ユニット３０の装置前面側端部から装置幅方向左方に延出し、装置高さ方向下方側に湾曲し、湾曲部６６ａを形成している。そして、湾曲して装置幅方向右側に向きを変えたアナログ信号伝送用ケーブル６６は、媒体読取ユニット収容区画４８の底面４８ａと係合し、再度、その向きを装置幅方向左側に変える。そして、装置幅方向左側に延びるアナログ信号伝送用ケーブル６６は、壁４９Ｃに突き当たると壁４９Ｃに沿って装置背面側に延びる（図４参照）。
【００４５】
壁４９Ｃに沿って延びるアナログ信号伝送用ケーブル６６は、装置奥行き方向において制御部４６が設けられた位置まで達すると、向きを装置幅方向右側へ変え、制御部４６に向かう。そして、アナログ信号伝送用ケーブル６６は、制御部４６に接続される。本実施例では、アナログ信号伝送用ケーブル６６は、ノイズの影響を受けやすいので、電源部４４を迂回して電源部４４が発するノイズの影響を受けないように媒体読取ユニット収容区画４８内を引き回されている。
【００４６】
また、デジタル信号伝送用ケーブル６８は、媒体読取ユニット３０の装置背面側端部から装置幅方向左方に延出し、装置高さ方向下方に湾曲し、湾曲部６８ａを形成している。そして、デジタル信号伝送用ケーブル６８は、湾曲部６８ａから装置幅方向右側に延び、制御部４６に接続されている。
【００４７】
ここで、図７及び図８を参照しながら、筐体１２における挿抜部３２、電源部４４、媒体読取ユニット収容区画４８のレイアウトについて説明する。本実施例において挿抜部３２は、装置高さ方向において、媒体読取ユニット収容区画４８の少なくとも一部と重なっている。
【００４８】
また、本実施例では、図８に示すように挿抜部３２は、装置高さ方向において媒体読取ユニット収容区画４８におけるアナログ信号伝送用ケーブル６６及びデジタル信号伝送用ケーブル６８の湾曲部６６ａ、６８ａが形成されている部分、すなわち、アナログ信号伝送用ケーブル６６及びデジタル信号伝送用ケーブル６８が媒体読取ユニット３０の移動動作に伴い追従変形する領域と重なっている。また、挿抜部３２は、装置高さ方向において制御部４６の回路基板４７の少なくとも一部と重なっている。
【００４９】
電源部４４は、図４を参照するに装置幅方向において媒体読取ユニット駆動手段４２の少なくとも一部と重なっている。本実施例において電源部４４は、媒体読取ユニット駆動手段４２の駆動モーター５４の少なくとも一部と装置幅方向において重なっている。
【００５０】
＜＜＜実施例の変更例＞＞＞
（１）本実施例において電源部４４は整流回路を備える構成としたが、さらにバッテリーを備えていてもよい。
（２）本実施例では、媒体読取ユニット駆動手段４２を歯付きベルト６２により装置幅方向に移動動作させるように構成したが、この構成に代えてラックピニオン等で媒体読取ユニット３０を移動させてもよい。
（３）本実施例では、画像読取装置１０にＡＤＦ１４を備える構成としたが、この構成に代えて、載置面１６に対して開閉可能なカバーとしてもよい。
【００５１】
上記説明をまとめると、画像読取装置１０は、装置奥行き方向に延設されるとともに装置幅方向に移動しながら媒体の画像を読み取る媒体読取ユニット３０と、可撓性を有するケーブルであって湾曲部６６ａ、６８ａを形成して媒体読取ユニット３０に接続され、媒体読取ユニット３０の移動動作に伴い追従変形する信号伝送ケーブル６６、６８と、媒体読取ユニット３０に電力を供給する電源部４４と、媒体読取ユニット３０及び電源部４４を収容する筐体１２とを備えている。媒体読取ユニット３０の装置高さ方向において、電源ケーブル３４のプラグ３４ａを電源部４４に対し筐体１２の外側から挿抜させる為の挿抜部３２の少なくとも一部と、信号伝送ケーブル６６、６８が追従変形する媒体読取ユニット収容区画４８の少なくとも一部とがオーバーラップしている。
【００５２】
上記構成によれば、装置高さ方向において、電源ケーブル３４のプラグ３４ａを電源部４４に対し筐体１２の外側から挿抜させる為の挿抜部３２の少なくとも一部と、信号伝送ケーブル６６、６８が追従変形する媒体読取ユニット収容区画４８の少なくとも一部とがオーバーラップしているので、電源部４４を筐体１２に内蔵する画像読取装置１０において挿抜部３２と媒体読取ユニット収容区画４８の重畳を避けて装置高さ方向の寸法を抑え、装置をより一層薄型化することができる。
【００５３】
また、信号伝送ケーブル６６、６８は、媒体読取ユニット３０において装置奥行き方向の前面側端部から延出するアナログ信号伝送用ケーブル６６と背面側端部から延出するデジタル信号伝送用ケーブル６８とを含み、アナログ信号伝送用ケーブル６６及びデジタル信号伝送用ケーブル６８が接続される回路基板４７を備えている。アナログ信号伝送用ケーブル６６は、電源部４４から遠い迂回経路を通って回路基板４７に接続される。
【００５４】
上記構成によれば、アナログ信号伝送用ケーブル６６は、電源部４４から遠い迂回経路を通って回路基板４７に接続されるので、ノイズの影響を受け易いアナログ信号の伝送に際し、電源部４４から発するノイズの影響を抑えることができ、より良好な信号伝送を行うことができる。
【００５５】
また、装置高さ方向において、挿抜部３２の少なくとも一部と、回路基板４７の少なくとも一部とがオーバーラップしている。この構成によれば、挿抜部３２と回路基板４７との重畳を避けて装置高さ寸法を抑え、装置をより一層薄型化することができる。
【００５６】
また、電源部４４は、装置幅方向において、媒体読取ユニット収容区画４８の装置幅方向右側端部の外側に配置され、媒体読取ユニット３０を駆動する駆動モーター５４の少なくとも一部と、電源部４４の少なくとも一部とが、装置幅方向でオーバーラップしている。
【００５７】
この構成によれば、電源部４４は、装置幅方向において、媒体読取ユニット３０を駆動する駆動モーター５４の少なくとも一部と、電源部４４の少なくとも一部とが、装置幅方向でオーバーラップしているので、駆動モーター５４と電源部４４との装置幅方向における重畳を避け、装置をより一層小型化することができる。
【００５８】
また、画像読取装置１０において、電源ケーブル３４のプラグ３４ａを挿抜する、挿抜部３２内に設けられた第１の挿抜口３６は、筐体１２の側面から奥まった位置に設けられている。
【００５９】
上記構成によれば、電源ケーブル３４のプラグ３４ａを挿抜する、挿抜部３２内に設けられた第１の挿抜口３６は、筐体１２の側面から奥まった位置に設けられているので、プラグ３４ａの、筐体１２の側面からの突出を回避でき、或いは突出量を抑えることができる。その結果、筐体１２の側面を壁面などに寄せることができ、装置の設置スペースを節約することができる。
【００６０】
また、第１の挿抜口３６は、挿抜部３２が設けられた筐体１２の側面に対し交差する方向である装置幅方向に開口している。この態様によれば、第１の挿抜口３６は、挿抜部３２が設けられた筐体１２の側面に対し交差する方向である装置幅方向に開口しているので、プラグ３４ａの、筐体１２の側面からの突出をより確実に回避でき、或いはより一層突出量を抑えることができる。その結果、装置の設置スペースをより一層節約することができる。
【００６１】
また、筐体１２は、内部に媒体読取ユニット収容区画４８を囲うとともに媒体読取ユニット収容区画４８と電源部４４の配置領域とを仕切る仕切壁５１を備える。
【００６２】
電源部４４は電源ケーブル３４のプラグ３４ａを挿抜する関係上、塵埃等を装置内部に侵入させる侵入部となり易いが、上記構成によれば、筐体１２は、内部に媒体読取ユニット収容区画４８を囲うとともに媒体読取ユニット収容区画４８と電源部４４の配置領域とを仕切る仕切壁５１を備えるので、電源部４４から媒体読取ユニット３０内部への塵埃等の侵入を抑えることができ、装置を良好な状態に維持することができる。
【００６３】
また、本発明は上記実施例に限定されることなく、特許請求の範囲に記載した発明の範囲内で、種々の変形が可能であり、それらも本発明の範囲内に含まれるものであることは言うまでもない。
【符号の説明】
【００６４】
１０…画像読取装置、１２…筐体、１６…載置面、１７…ガラス板、１８…ヒンジ部、２０…操作部、２２…媒体押さえ部材、２４…媒体支持トレイ、２６…媒体搬送部、２８…媒体排出トレイ、３０…媒体読取ユニット、３２…挿抜部、３４…電源ケーブル、３４ａ、３８ａ…プラグ、３６…第１の挿抜口、３８…通信ケーブル、４０…第２の挿抜口、４２…媒体読取ユニット駆動手段、４４…電源部、４６…制御部、４７…回路基板、４８…媒体読取ユニット収容区画、４８ａ…底面、４９Ａ、４９Ｂ、４９Ｃ…壁、５０…ガイドレール、５１…仕切壁、５２…被ガイド部、５４…駆動モーター、５６…駆動力伝達手段、５８…駆動プーリー、６０…従動プーリー、６２…歯付きベルト、６４…ベルト把持部、６６…アナログ信号伝送用ケーブル、６６ａ、６８ａ…湾曲部、６８…デジタル信号伝送用ケーブル
【図１】
0006651800.tif 000002
【図２】
0006651800.tif 000003
【図３】
0006651800.tif 000004
【図４】
0006651800.tif 000005
【図５】
0006651800.tif 000006
【図６】
0006651800.tif 000007
【図７】
0006651800.tif 000008
【図８】
0006651800.tif 000009